(57)【要約】【課題】レターボックスサイズ画像や、サイドパネルサイズ画像など、画面端が黒画像表示時に、個体間のバラツキなく輝度ムラを軽減させられる映像表示装置を提供する。【解決手段】映像信号及び補正データが入力される映像信号入力部３と、入力映像信号の特定部分が黒の画像であることを識別する映像判別部４と、映像信号を補正するための補正情報を保存しておく記憶部６と、映像信号の黒と識別した部分を補正情報に基づき補正する画像処理部５と、補正された映像信号を表示映像データに変換する表示制御部７と、表示映像データを表示する映像表示部８とを有する。【選択図】図１
2011203588.tif 000002
【特許請求の範囲】
【請求項１】
バックライトを有する映像表示装置であって、
映像信号が入力される映像信号入力部と、
入力した映像信号の特定部分が黒の画像であることを識別する映像判別部と、
前記映像信号を補正するための補正情報を保存しておく記憶部と、
前記映像信号の黒と識別された部分を前記補正情報に基づき補正する画像処理部と、
補正された前記映像信号を表示映像データに変換する表示制御部と、
前記表示映像データを表示する表示部と、
を有することを特徴とする映像表示装置。
【請求項２】
前記表示部は矩形の表示領域を有し、
前記補正データは、前記表示領域のうち所定の範囲のバックライトの輝度ムラを補正する補正データであることを特徴とする請求項１記載の映像表示装置。
【請求項３】
前記補正データは、映像表示装置固有の補正データとして、予め測定されたものであることを特徴とする請求項２記載の映像表示装置。
【請求項４】
前記補正データは、映像表示装置のガンマカーブであることを特徴とする請求項２または３記載の映像表示装置。
【請求項５】
前記補正データは、黒と識別された部分以外の輝度を上げ、バックライトを暗くするものであることを特徴とする請求項４記載の映像表示装置。
【請求項６】
バックライトの照射方式は、光源の光を導光板を介して液晶表示パネルの側面から照射するサイドライト方式であることを特徴とする請求項１記載の映像表示装置。
【請求項７】
前記映像信号の特定部分が黒である画像がレターボックスサイズ画像であることを特徴とする請求項１または２記載の映像表示装置。
【請求項８】
前記映像信号の特定部分が黒である画像がサイドパネルサイズ画像であることを特徴とする請求項１または２記載の映像表示装置。
【請求項９】
前記映像信号の特定部分が黒である画像の表示サイズが、前記表示領域に比べ、縮小された画像であることを特徴とする請求項２記載の映像表示装置。
【請求項１０】
前記映像信号の特定部分が黒である画像かどうかを、入力映像の画像認識し判断することを特徴とする請求項１記載の映像表示装置。
【請求項１１】
前記映像信号の特定部分が黒である画像かどうかを、判別データとして受信することを特徴とする請求項１記載の映像表示装置。
【請求項１２】
画像サーバと映像表示端末より構成される映像システムであって、
前記画像サーバより映像信号を送信し、
前記映像表示端末において、前記映像信号の特定部分が黒の画像である場合には、前記映像表示端末が有する補正情報に基づき、黒部分の輝度を補正することを特徴とする映像システム。
【請求項１３】
前記映像信号の特定部分が黒である画像がレターボックスサイズ画像であることを特徴とする請求項１２記載の映像システム。
【請求項１４】
前記映像信号の特定部分が黒である画像がサイドパネルサイズ画像であることを特徴とする請求項１２記載の映像システム。
【請求項１５】
前記映像信号の特定部分が黒である画像かどうかを、入力映像の画像認識し判断することを特徴とする請求項１２記載の映像システム。
【請求項１６】
画像サーバより映像種別データを送信し、映像処理端末において前記映像種別データより、原画像の黒部分を判定し、黒部分の輝度を補正することを特徴とする請求項１２記載の映像システム。
【発明の詳細な説明】
【技術分野】
【０００１】
本発明はバックライトを有する映像表示装置、または映像表示装置を有する映像システムに関する。
【背景技術】
【０００２】
映像表示装置、特に液晶表示装置に用いられているバックライトの照射方式には、光源の光を液晶表示パネルの背面から直接照射する直下方式と、光源の光を導光板を介して液晶表示パネルの側面から照射するサイドライト方式がある。
【０００３】
近年は白色ＬＥＤの普及により、１０インチを超える液晶表示装置においても、サイドライト方式を採用する製品が増えてきている。
【０００４】
サイドライト方式に関する従来技術を挙げると、特許文献１、特許文献２などがある。これら特許文献にも記載されているように、表示画面にバックライトによる輝度ムラが生じる問題がある。
【０００５】
この輝度ムラを改善するために特許文献１に記載された従来技術では、導光板裏面の光乱反射層のパターン密度を非対称にすることで輝度ムラを防止するようにしている。
【０００６】
また、特許文献２に記載された従来技術では、拡散板の光源に近い面にドット状に形成した光量制御部を設けて輝度ムラを改善している。
【０００７】
ところで、現在使用されている映像方式では、日本国内などで実施されているアナログのテレビジョン放送などのＮＴＳＣ（Ｎａｔｉｏｎａｌ  Ｔｅｌｅｖｉｓｉｏｎ Ｓｙｓｔｅｍ Ｃｏｍｍｉｔｔｅｅ）方式の横縦比（アスペクト比）が４：３のものや、ＨＤＴＶ（Ｈｉｇｈ  Ｄｅｆｉｎｉｔｉｏｎ  Ｔｅｌｅｖｉｓｉｏｎ）方式などで実施されている１６：９のものなど様々である。
【０００８】
同様に、現在市販されている液晶表示装置についても、４：３のものや１６：９のものなど様々な横縦比のものがある。
【０００９】
ここで、アスペクト比が４：３の液晶表示装置に、それよりも横長（たとえばアスペクト比１６：９）の映像コンテンツを表示させる場合、リサイズを行い表示装置に合わせて表示させる方法や、左右の映像をカットし出力する方法や、液晶表示装置の中央部に１６：９の映像を表示するレターボックス方式等がある。
【００１０】
同様に、アスペクト比１６：９の液晶表示装置に、それよりも縦長（たとえばアスペクト比４：３）の映像コンテンツを表示させる場合、上下の映像をカットして出力する方法や、リサイズして表示装置に合わせて表示させる方法、液晶表示装置の中央部に４：３の映像を表示するサイドパネル方式等がある。
【００１１】
液晶表示装置の中央部に映像を表示するレターボックス方式やサイドパネル方式では、映像情報をカットすることなく、また、映像を歪ませることなく全体を表示することが可能である。同時に、これらの方式では映像情報のない画面端に黒画像を表示する必要がある。
【先行技術文献】
【特許文献】
【００１２】
【特許文献１】特開平６−３１３８８３号公報
【特許文献２】特開平１０−１７０９４９号公報
【発明の概要】
【発明が解決しようとする課題】
【００１３】
液晶表示装置に使用される液晶パネルは、ほとんどの場合、それ自体は輝度ムラの発生を抑えるように製造されている。しかし、液晶表示装置は液晶表示パネルを筐体に組込んで使用する必要がある。
【００１４】
その際、液晶表示パネルを固定する必要があり、液晶表示パネル自体には固定するためのなんらかの押さえつけられる力が加わることになる。それにより、液晶表示パネル単体では発生しなかった輝度ムラが、新たに発生してしまうことがある。
【００１５】
また、ＬＥＤバックライトを使用したサイドライト方式では、パネルのサイドに複数の白色ＬＥＤが設置されている。ＬＥＤの点の光源であり、特に光量を有効に使用するため、液晶表示パネルに近接させることなどにより、輝度ムラを発生しやすい構造となっている。
【００１６】
さらに、白色ＬＥＤ自体にもばらつきが大きく、そのバラツキが輝度ムラの原因となっている。
【００１７】
上記従来技術では、パネル製造時点で輝度の補正が一律補正されており、パネル個体間のバラツキや、装置組込時に発生した輝度ムラを補正することは困難であった。
【００１８】
輝度ムラが目立つ条件としては、バックライトが点灯している状態で、映像がほぼ黒に近い時である。
【００１９】
実際に液晶表示装置を使用している際は、何らかの表示がされているため、映像が全画面黒になる場合はあまり考えられない。しかし、４：３の液晶表示装置にレターボックス方式の映像を表示する際等、表示装置のアスペクト比と映像のアスペクト比が異なる場合、先に説明したように、画面の端を黒表示させる必要がある。
【００２０】
この時、表示画面を示す図４のように、黒画像部１１の中に黒画像よりも輝度が明るい輝度ムラ１２が発生した場合、非常に輝度ムラが目立つことになる。
【００２１】
ＬＥＤバックライト等のサイドライト方式では、ＬＥＤが設置されている側に黒画像表示された場合、さらに輝度ムラが目立つことになる。
【００２２】
本発明は、レターボックスサイズ画像や、サイドパネルサイズ画像など、特定部分が黒画像である映像を表示させる際、黒画像部分における輝度ムラの発生を、個体間のバラツキなく軽減させることのできる映像表示装置、または映像システムを提供することを目的とする。
【課題を解決するための手段】
【００２３】
上述の課題を解決するために、本発明の映像表示装置は、バックライトを有する映像表示装置であって、映像信号が入力される映像信号入力部と、入力した映像信号の特定部分が黒の画像であることを識別する映像判別部と、映像信号を補正する画像処理部と、映像信号を補正するための補正情報を保存しておく記憶部と、映像信号の黒と識別した部分を補正情報に基づき補正する画像処理部と、補正された映像信号を表示映像データに変換する表示制御部と、表示映像データを表示する映像表示部とを有することを特徴とする。
【発明の効果】
【００２４】
液晶表示装置等の映像表示装置の画面端に発生する輝度ムラを、画面の他の部分に影響を与えることなく補正して目立たなくさせることができる。
【図面の簡単な説明】
【００２５】
【図１】本発明の一実施の形態に係る映像システムのブロック図
【図２】補正データの作成方法を説明する図
【図３】レターボックスサイズ表示時の輝度ムラ補正後の表示画面を示す図
【図４】レターボックスサイズ表示時の輝度ムラが発生した表示画面を示す図
【発明を実施するための形態】
【００２６】
以下、本発明の実施の形態に係る映像表示装置、映像システムについて、図１から図４を用いて説明する。
【００２７】
（実施の形態１）
図１は、本発明の一実施の形態に係る映像システムのブロック図である。
【００２８】
この映像システムは、映像信号を出力するサーバ１と、映像表示装置である液晶表示装置２とから構成され、液晶表示装置２は、映像信号及び補正データが入力される映像信号入力部３と、映像信号を識別する映像判別部４と、映像信号を補正する画像処理部５と、補正データを記憶する記憶部６と、映像信号を表示映像データに変換する表示制御部７と、表示映像データを表示する映像表示部８とからなる。
【００２９】
映像判別部４は、入力された映像信号の表示すべき内容の特定部分が黒画像であるかどうかの判別を行う。入力された映像信号と映像表示部８の表示画面のアスペクト比が異なる場合に、レターボックス方式やサイドパネル方式等、特定部分が黒画像である映像が表示される。映像信号がこのような表示となる信号かどうかを判別する。
【００３０】
判別方法としては、映像表示部８の表示画面と映像信号のアスペクト比を比較する方法がある。
【００３１】
この方法では、あらかじめ映像表示部８自体の表示画面のアスペクト比を記憶しておき、入力された映像信号が、映像表示部８の表示画面のアスペクト比と異なるかどうかの判別を行う。
【００３２】
また、実際に表示させる映像表示データを読み取り、上下または左右に表示される矩形部分がすべて黒画像であるかどうかを判断する方法がある。
【００３３】
これらの方法を用い、映像判別部４は、映像表示部８の表示画面の上下または左右に表示される矩形部分の補正を行うかどうかを判別する。
【００３４】
画像処理部５では、入力映像信号に対して、輝度および色の調整、ノイズリダクション、ＩＰ変換、リサイズ等種々の画像処理を行い、映像表示部８の表示画面に映像を表示する。
【００３５】
また映像判別部４から特定部分が黒画像となる映像が入力されたかどうか判断された情報を受信し、映像信号の上下または左右の矩形部分を補正する必要がある場合は、この画像処理部５において、記憶部６から補正データを読み出し、そのデータを元に画像処理を行い、映像表示部８に映像を表示する。
【００３６】
記憶部６には、液晶表示装置２の製造検査時にあらかじめ作成された補正データが保存されている。
【００３７】
次に、本実施の形態の映像システムの全体の動作の説明を行う。まず、サーバ１から映像信号を出力し、映像信号入力部３にて映像信号を受信する。液晶表示装置２において、入力された映像信号は、映像判別部４で、特定部分が黒であるかどうかが識別される。
【００３８】
特定部分が黒ではないと判断された場合は、画像処理部５で、通常の画像処理を行った後、表示制御部７で映像信号を表示映像データに変換し、映像表示部８に表示映像データを出力する。
【００３９】
特定部分が黒であると判断された場合、画像処理部５で、通常の画像処理に加え、記憶部６より補正データを読み出し、その補正データを基にした画像処理を行い、表示制御部７で映像信号を表示映像データに変換し、映像表示部８に出力する。
【００４０】
なお、映像判別をあらかじめサーバ１側で行うか、またはその情報をあらかじめ入手しておき、映像データと共に、判別情報をサーバ１から液晶表示装置２に送ることも実現可能である。その場合、液晶表示装置２は映像判別部４を必要とせず、サーバ１から送られてきた判別情報を基に、補正を行うか、もしくは行わない。
【００４１】
次に、図２を用いて補正データの作成方法について説明する。補正データの作成には、測定する液晶表示装置２及び、輝度ムラ測定装置（カメラ）９、補正データ作成装置１０を必要とする。
【００４２】
液晶表示装置２の製造検査時に、輝度ムラ補正データ作成装置１０から、液晶表示装置２に黒画像の基準データを入力する。
【００４３】
ここで黒画像データは、補正データ作成装置１０以外から入力することも可能である。また、あらかじめ液晶表示装置２内にデータとして持っておくか、内部のソフトウェアで黒画像データを作成して表示することも可能である。
【００４４】
液晶表示装置２に表示された黒画像を、輝度ムラ測定装置９で測定する。
【００４５】
測定された輝度ムラのデータを基に、輝度ムラ補正データ作成装置１０は、特定部分が黒画像である場合の輝度ムラを目立たなくするための補正データを作成する。
【００４６】
次に、その補正データを液晶表示装置２に送信する。
【００４７】
液晶表示装置２は、記憶部６にこの補正データを保存する。
【００４８】
ここで、補正データの内容について説明する。輝度ムラは、黒表示部分に輝度の明るい部分が含まれている場合に認識される。これは映像全体の輝度が明るい場合は目立たないが、映像全体が暗い場合に特に目立つ。
【００４９】
映像全体の輝度が暗い場合、液晶表示装置２のガンマカーブを操作し、画面中央の映像部の輝度を上げると同時に、バックライトを暗くすることで、映像の明るさを変えずに輝度ムラの明部を暗くすることができる。
【００５０】
つまり、黒表示部分と輝度の明るい部分との差が少なくなり、輝度ムラが目立たなくなる。
【００５１】
例えば、表示画面に、従来の図４のようなレターボックスサイズの黒画像を表示させ、黒画像部１１の中に黒画像よりも輝度が明るい輝度ムラ１２が発生している場合、輝度が明るくない箇所に対してのみ、黒画像の輝度を少し上げるように画像を変換する。これにより、図３の表示画面のように、輝度ムラを目立たなくさせることができる。
【００５２】
上記のような補正データを、サイドパネルサイズ画像など、映像の種類毎に作成し、液晶表示装置２個々の補正データとして記憶部６に保存する。
【００５３】
これにより、判別された映像信号に合わせた補正を行うことができ、液晶表示装置毎に輝度ムラを目立たせなくすることができる。
【００５４】
なお、上記実施の形態の説明では、映像信号をサーバから入力しているが、ＤＶＤプレーヤー等の映像再生装置やアンテナからの映像信号等でも問題なく、映像信号のソース自体はサーバに限らない。
【産業上の利用可能性】
【００５５】
本発明は、実施の形態に記述したサーバと液晶表示装置を用いた映像システムだけではなく、一般の液晶表示装置に幅広く利用することが可能である。
【符号の説明】
【００５６】
１  サーバ
２  液晶表示装置
３  映像信号入力部
４  映像判別部
５  画像処理部
６  記憶部
７  表示制御部
８  映像表示部
９  輝度ムラ測定装置
１０  補正データ作成装置
１１  黒画像部
１２  輝度ムラ
【図１】
2011203588.tif 000003
【図２】
2011203588.tif 000004
【図３】
2011203588.tif 000005
【図４】
2011203588.tif 000006